Podtech/llm-jp-corpus-v4-ja_patent huggingface dataset:
【手続補正書】
【提出日】平成25年3月12日(2013.3.12)
【手続補正１】
【補正対象書類名】特許請求の範囲
【補正対象項目名】全文
【補正方法】変更
【補正の内容】
【特許請求の範囲】
【請求項１】
式（Ｉ）の化合物
【化１】
2012504590.tif 000001
またはその全部の互変異性体を包含するその製薬学的に許容できる塩若しくは溶媒和物。
【請求項２】
１種若しくはそれ以上の製薬学的に許容できる希釈剤若しくは担体とともに請求項１に記載の式（Ｉ）の化合物を含んでなる製薬学的組成物。
【請求項３】
ＣＯＰＤ（慢性気管支炎および肺気腫を包含する）、喘息、小児喘息、嚢胞性線維症、サルコイドーシス、特発性肺線維症、アレルギー性鼻炎、鼻炎、副鼻腔炎、
アレルギー性結膜炎、結膜炎、アレルギー性皮膚炎、接触皮膚炎、乾癬、潰瘍性大腸炎、関節リウマチ若しくは変形性関節症に二次的な炎症を起こした関節、
関節リウマチ、膵炎、悪液質、非小細胞肺癌、乳癌、胃癌、結腸直腸癌および悪性黒色腫を包含する腫瘍の増殖および転移の阻害
から選択される状態の処置若しくは予防でとしての使用のための請求項１に記載の式（Ｉ）の化合物。
【請求項４】
呼吸器障害の処置または予防において使用するための、請求項１に記載の式（Ｉ）の化合物を含んでなる製薬学的組成物。
【請求項５】
１種若しくはそれ以上の他の有効成分と併用される、請求項３または４に記載の製薬学的組成物。
【請求項６】
ステロイド、βアゴニストおよびキサンチンから選択される１種若しくはそれ以上の他の有効成分と併用される、請求項４に記載の製薬学的組成物。
【請求項７】
ＣＯＰＤ（慢性気管支炎および肺気腫を包含する）、喘息、小児喘息、嚢胞性線維症、サルコイドーシス、特発性肺線維症、アレルギー性鼻炎、鼻炎、副鼻腔炎、
アレルギー性結膜炎、結膜炎、アレルギー性皮膚炎、接触皮膚炎、乾癬、潰瘍性大腸炎、関節リウマチ若しくは変形性関節症に二次的な炎症を起こした関節、
関節リウマチ、膵炎、悪液質、非小細胞肺癌、乳癌、胃癌、結腸直腸癌および悪性黒色腫を包含する腫瘍の増殖および転移の阻害
から選択される状態の処置若しくは予防のための医薬品の製造のための請求項１に記載の式（Ｉ）の化合物の使用。
【請求項８】
式（ＩＩ）の化合物：
【化２】
2012504590.tif 000002
の、式（ＩＩＩ）の化合物：
【化３】
2012504590.tif 000003
ここでＬＧ1は脱離基を表す、
との反応を含んでなる、式（Ｉ）の化合物、またはその全部の互変異性体を包含するその製薬学的に許容できる塩若しくは溶媒和物の製造方法。
【請求項９】
式（Ｘ）の化合物：
【化４】
2012504590.tif 000004
の、式（ＩＶ）の化合物：
【化５】
2012504590.tif 000005
および式（ＸＩ）の化合物：
【化６】
2012504590.tif 000006
ここでＬＧ4およびＬＧ5はそれぞれ独立に脱離基を表す、
との反応を含んでなる、式（Ｉ）の化合物、またはその全部の互変異性体を包含するその製薬学的に許容できる塩若しくは溶媒和物の製造方法。
【請求項１０】
式（Ｘ）の化合物：
【化７】
2012504590.tif 000007
またはその保護された誘導体若しくはその塩。
【誤訳訂正書】
【提出日】平成25年6月13日(2013.6.13)
【誤訳訂正１】
【訂正対象書類名】明細書
【訂正対象項目名】００４７
【訂正方法】変更
【訂正の内容】
【００４７】
本発明の一実施形態は、圧着止め具における中空軸と対向する端部に突起部を設けるか、あるいは面取り部を周設したことを特徴としている。このように形成された圧着止め具によれば、容易に挿入して取り付けることができるとともに、エッジ形成及び場合によって生じる切粉又は圧着止め具を中空軸の開口部へ挿入する際に中空軸の内面部に生じる材料の剥離を防止することも可能である。
【誤訳訂正２】
【訂正対象書類名】特許請求の範囲
【訂正対象項目名】請求項１５
【訂正方法】変更
【訂正の内容】
【請求項１５】
前記圧着止め具（９）における前記中空軸（１）と対向する端部に突起部を設けるか、あるいは面取り部（１２）を周設したことを特徴とする請求項１〜１４のいずれか１項に記載の接続装置。
【誤訳訂正書】
【提出日】平成25年7月10日(2013.7.10)
【誤訳訂正１】
【訂正対象書類名】明細書
【訂正対象項目名】００３６
【訂正方法】変更
【訂正の内容】
【００３６】
本発明の第１の観点は、ヒト血管内皮成長因子（VEGF）及びヒトアンギオポエチン2（ANG-2）に対して特異的に結合する、ヒトVEGFに対して特異的に結合する第１抗原結合部位及びヒトアンギオポエチン2（ANG-2）に対して特異的に結合する第２抗原結合部位を含んで成る二重特異的抗体である。
【手続補正書】
【提出日】平成24年11月21日(2012.11.21)
【手続補正１】
【補正対象書類名】特許請求の範囲
【補正対象項目名】請求項７
【補正方法】変更
【補正の内容】
【請求項７】
パーティション（５８）の前記扉（６２）は開いた状態で通常であり、火災警報の場合に、前記扉は閉止位置に動かされることを特徴とする、請求項１に記載の高層ビル。
【誤訳訂正書】
【提出日】平成25年8月5日(2013.8.5)
【誤訳訂正１】
【訂正対象書類名】特許請求の範囲
【訂正対象項目名】全文
【訂正方法】変更
【訂正の内容】
【特許請求の範囲】
【請求項１】
以下の構成成分を少なくとも１つ：
ａ）少なくとも一種の粘土鉱物；および
ｂ）Ｎ−ビニルピロリドンモノマーユニットおよびカチオン性モノマーユニットを含む少なくとも一種のＮ−ビニルピロリドンコポリマーを含む、
繊維製品の柔軟性を改善する洗剤添加剤。
【請求項２】
前記カチオン性モノマーユニットは、それぞれ四級化された窒素原子を少なくとも一つ有するモノマーユニットを含む、請求項１に記載の洗剤添加剤。
【請求項３】
前記カチオン性モノマーユニットは、脂肪族モノマーユニットである、または脂肪族モノマーユニットを含む、請求項１または２に記載の洗剤添加剤。
【請求項４】
前記カチオン性モノマーユニットは、それぞれが（−（ＣＨ2）n−）  ｎ＝１〜２４および／または（−ＣＨ3）要素を少なくとも一つ含むモノマーユニットである、または（−（ＣＨ2）n−）  ｎ＝１〜２４および／または（−ＣＨ3）要素を少なくとも一つ含むモノマーユニットを含む、請求項１〜３のいずれか一項に記載の洗剤添加剤。
【請求項５】
前記カチオン性モノマーユニットは、５〜３６個の炭素原子を含むモノマーユニットである、または５〜３６個の炭素原子を含むモノマーユニットを含む、請求項１〜４のいずれか一項に記載の洗剤添加剤。
【請求項６】
前記カチオン性モノマーユニットは、四級化Ｎ−ビニルイミダゾールモノマーユニット、四級化Ｎ、Ｎ−ジアルキルアミノアルキル（メタ）アクリレートモノマーユニットおよびジアリルジメチルアンモニウム塩由来のモノマーユニットからなる群から選択されるモノマーユニットを含む、請求項１〜５のいずれか１項に記載の洗剤添加剤。
【請求項７】
前記コポリマーは、電荷を帯びていないコモノマーユニットを少なくとも１種をさらに含む、請求項１〜６のいずれか１つに記載の洗剤添加剤。
【請求項８】
前記少なくとも１種のコモノマーユニットは、Ｎ−ビニルカプロラクタムモノマーユニット、およびＮ−ビニルイミダゾールモノマーユニットからなる群から選択される少なくとも１種のコモノマーユニットであり、かつ重合体における前記少なくとも１種のコモノマーユニットの比は、０．１〜７５ｍｏｌ％である、請求項７に記載の洗剤添加剤。
【請求項９】
前記粘土鉱物は、スメティック粘土鉱物であることを特徴とする、請求項１〜８のいずれか１項に記載の洗剤添加剤。
【請求項１０】
前記コポリマーにおけるＮ−ビニルピロリドンモノマーユニットの比は、１〜９９ｍｏｌ％であることを特徴とする、請求項１〜９のいずれか１項に記載の洗剤添加剤。
【請求項１１】
前記粘土鉱物は、粒子状の形態で含まれており、少なくとも１０ｗｔ％の粒子として含まれていることを特徴とする、請求項１〜１０のいずれか１項に記載の洗剤添加剤。
【請求項１２】
少なくとも５０％の陽イオン交換容量（ＣＥＣ）の粘土鉱物が、一価の陽イオンから形成されることを特徴とする、請求項１〜１１のいずれか１項に記載の洗剤添加剤。
【請求項１３】
前記洗剤添加剤は、全洗剤添加剤の質量に対して、少なくとも８０ｗｔ％の粘土鉱物を含むことを特徴とする、請求項１〜１２のいずれか１項に記載の洗剤添加剤。
【請求項１４】
下記の工程：
ａ）少なくとも１種の粘土鉱物を供給すること；
ｂ）Ｎ−ビニルピロリドンモノマーユニットと、カチオン性モノマーユニットと、を含むＮ−ビニルピロリドンコポリマーの少なくとも１種を供給すること、および
ｃ）Ｎ−ビニルピロリドンモノマーユニットおよびカチオン性モノマーユニットを含むＮ−ビニルピロリドンコポリマーの少なくとも１種と、少なくとも１種の粘土鉱物と、を混合することを含む洗剤添加剤の製造方法。
【請求項１５】
少なくとも１種の界面活性剤を、ステップｃ）の後、または同時、もしくは予め添加することを特徴とする、請求項１４に記載の洗剤添加剤の製造方法。
【請求項１６】
最初に、Ｎ−ビニルピロリドンモノマーユニット、およびカチオン性モノマーユニットを含む少なくとも１種のコポリマー並びに界面活性剤を混合して、前記粘土鉱物に塗布することを特徴とする、請求項１４または１５に記載の洗剤添加剤の製造方法。
【請求項１７】
洗浄、クリーニング、および／またはケアー処方の成分として、および／または、洗浄、クリーニング、および／またはケアー処方に提供する、請求項１〜１３のいずれか１つに記載の洗剤添加剤または請求項１４〜１６のいずれかの方法により得られた洗剤添加剤の使用。
【請求項１８】
ａ）少なくとも１種の粘土鉱物；および
ｂ）Ｎ−ビニルピロリドンモノマーユニットおよびカチオン性モノマーユニットを含む、少なくとも１種のＮ−ビニルピロリドンコポリマー
を含む繊維製品の柔軟性を改善する洗剤添加剤の使用。
【請求項１９】
織物製品、特に物質および／または繊維（繊維材料）の柔軟性を向上するために請求項１〜１３のいずれか１つに記載の洗剤添加剤または請求項１４〜１６のいずれかの方法により得られた洗剤添加剤の使用することに関し、ここで前記織物製品は、綿、絹、ウール、特に子羊ウール、ポリエステル、ポリアクリロイルニトリル、ポリアミド、エラステイン（Ｅｌａｓｔａｎｅ）（登録商標）、ナイロン（登録商標）、ビスコース、および特に綿含有材料からなる群から選択される材料からなる、または前記材料を含む請求項１７または１８の使用。
【請求項２０】
織物製品、特に物質および／または繊維（繊維材料）の耐変色性を向上するために請求項１〜１３のいずれか１つに記載の洗剤添加剤または請求項１４〜１６のいずれかの方法により得られた洗剤添加剤の使用することに関し、ここで前記織物製品は、綿、絹、ウール、特に子羊ウール、ポリエステル、ポリアクリロイルニトリル、ポリアミド、エラステイン（Ｅｌａｓｔａｎｅ）（登録商標）、ナイロン（登録商標）、ビスコース、および特に綿含有材料からなる群から選択される材料からなる、または前記材料を含む請求項１７または１８の使用。
【誤訳訂正２】
【訂正対象書類名】明細書
【訂正対象項目名】０１１７
【訂正方法】変更
【訂正の内容】
【０１１７】
Ｌｕｖｉｑｕａｔ（登録商標）Ｈｏｌｄ（Ｐｏｌｙｑｕａｒｔｅｒｎｉｕｍ  ４６）を粒状材料ＧＲ３２に使用した、Ｌｕｖｉｑｕａｔ（登録商標）ＰＱ  １１  ＰＮ  （Ｐｏｌｙｑｕａｒｔｅｒｎｉｕｍ  １１）を粒状材料ＧＲ３１に使用した、およびＬｕｖｉｑｕａｔ（登録商標）Ｓｅｎｓａｔｉｏｎを粒状材料ＧＲ３８に使用した、そして上記の名称のコポリマーはいずれもＢＡＳＦ  ＣｈｅｍＴｒａｄｅｇｍｂＨ、Ｄ−９１５９３  Ｂｕｒｇｂｅｒｎｈｅｉｍのものを使用している。
【手続補正書】
【提出日】平成25年9月4日(2013.9.4)
【手続補正１】
【補正対象書類名】特許請求の範囲
【補正対象項目名】全文
【補正方法】変更
【補正の内容】
【特許請求の範囲】
【請求項１】
リンに基づく無水酸改質アスファルトバインダー、リン酸アミンおよび水から形成された安定した乳剤を含むアスファルトバインダー。
【請求項２】
リンに基づく無水酸は、ポリリン酸またはスーパーリン酸である、請求項１に記載のバインダー。
【請求項３】
前記酸改質アスファルトバインダーはポリマー改質アスファルトバインダーを含む、請求項１に記載のバインダー。
【請求項４】
前記改質アスファルトバインダーは、エチレン、アクリル酸ブチルおよびメタクリル酸グリシジルモノマーを含有するターポリマー、またはエチレンおよびメタクリル酸グリシジルモノマーを含むポリマー、によって改質されている、請求項１乃至３のいずれか一項に記載のバインダー。
【請求項５】
前記改質アスファルトバインダーは、ポリリン酸と、スチレン−ブタジエン−スチレンポリマーまたはスチレン−ブタジエンポリマーと、によって改質されている、請求項１乃至４のいずれか一項に記載のバインダー。
【請求項６】
前記リン酸アミンはエトキシ化タロウジアミンホスファート、またはポリアミンホスファートを含む、請求項１乃至５のいずれか一項に記載のバインダー。
【請求項７】
前記安定した乳剤は、その乳剤の重量で、０．１重量％〜２．５重量％のリン酸アミンを含有する、請求項１乃至６のいずれか一項に記載のバインダー。
【請求項８】
請求項１乃至７のいずれか一項に記載の安定したアスファルト乳剤を骨材材料と組み合わせて舗装材を形成する工程と、前記舗装材を塗布する工程とによってなされる道路舗装。
【手続補正２】
【補正対象書類名】明細書
【補正対象項目名】発明の名称
【補正方法】変更
【補正の内容】
【発明の名称】アスファルトバインダー
【手続補正書】
【提出日】平成24年8月17日(2012.8.17)
【手続補正１】
【補正対象書類名】特許請求の範囲
【補正対象項目名】全文
【補正方法】変更
【補正の内容】
【特許請求の範囲】
【請求項１】
配列番号:１〜３０からなる群から選択される配列を含むペプチドまたはその変異体であって、該変異体は、配列番号:１〜３０と少なくとも８５％の相同性を示す配列であるか、または該変異体は、完全長のポリペプチドではなく、該変異体ペプチドでＴ細胞交差反応を誘導するものである、ペプチド。
【請求項２】
ペプチドまたはその変異体が、ヒト主要組織適合複合体（MHC）クラスIまたはクラスII分子に結合する能力を維持しており、さらに前記ペプチドはCD4またはCD8T細胞を刺激できる、請求項１に記載のペプチド。
【請求項３】
アミノ酸配列が配列番号:１〜３０の群に記載のアミノ酸の連続ストレッチ（ｃｏｎｔｉｎｕｏｕｓ  ｓｔｒｅｔｃｈ）を含む、請求項１または２に記載のペプチド。
【請求項４】
ペプチドは表２に記載の特異的なＨＬＡサブタイプを有するペプチドから選択され、CD8細胞を刺激する能力があり、および前記ペプチドは表２に記載の特異的なアンカーアミノ酸モチーフを含む、請求項１〜３のいずれか１項に記載のペプチド。
【請求項５】
ペプチドまたはその変異体の全長が、8〜100残基、8〜30残基もしくは8〜16残基、またはペプチドが配列番号:１〜３０に記載のアミノ酸配列からなる、またはそれらから本質的になる、請求項１〜４のいずれか１項に記載のペプチド。
【請求項６】
ペプチドが修飾されているかおよび／または非ペプチド結合を含む、請求項１〜５のいずれか１項に記載のペプチド。
【請求項７】
ペプチドが、融合タンパク質であり、特に、HLA-DR 抗原関連変異体鎖（Ii）のN-末端アミノ酸を有する、請求項１〜６のいずれか１項に記載のペプチド。
【請求項８】
請求項１〜７のいずれか１項に記載のペプチドをコードする核酸。
【請求項９】
請求項８に記載の核酸を発現する能力のある発現ベクター。
【請求項１０】
薬剤に使用するための、請求項１〜７のいずれか１項に記載のペプチド、請求項８に記載の核酸または請求項９に記載の発現ベクター。
【請求項１１】
宿主細胞が、樹状細胞または抗原提示細胞である、請求項８に記載の核酸または請求項９に記載の発現ベクターを含む宿主細胞。
【請求項１２】
請求項８に記載の核酸または請求項９に記載の発現ベクターを発現させる請求項１１に記載の宿主細胞を培養し、該宿主細胞またはその培地からペプチドを単離することを含む、請求項１〜７のいずれか１項に記載のペプチドを生成する方法。
【請求項１３】
抗原特異的方法で細胞傷害性Ｔリンパ球（ＣＴＬ）を活性化するのに十分な期間、invitroでＣＴＬを、適当な抗原提示細胞表面上で発現された抗原負荷ヒトクラスIまたはクラスIIのMHC分子と接触させるか、または抗原提示細胞を模倣する人工構築物と接触させることを含み、前記抗原が請求項１〜１０のいずれか１項に記載のペプチドである、in vitroで活性化ＣＴＬを生成する方法。
【請求項１４】
請求項１３に記載の方法により生成され、請求項１〜５のいずれか１項で与えられたアミノ酸配列を含むポリペプチドを異常に発現する細胞を選択的に認識する、活性化ＣＴＬ。
【請求項１５】
請求項１〜８のいずれか１項で与えられたアミノ酸配列を含むポリペプチドを異常に発現する標的細胞を有する患者の標的細胞を死滅させる薬剤であって、請求項１４に記載のＣＴＬを有効成分として含む、薬剤。
【請求項１６】
ワクチンを含む抗癌剤の製造における、請求項１〜７のいずれか１つに記載のペプチド、請求項８に記載の核酸、請求項９に記載の発現ベクター、請求項１１に記載の細胞、または請求項１４記載の活性化ＣＴＬ、の使用。
【請求項１７】
癌が、星細胞腫、毛様細胞性星細胞腫、胚芽異形成性神経上皮腫瘍、乏突起膠腫、上衣腫、多形神経膠芽腫、混合膠腫、神経膠腫、髄芽腫、網膜芽細胞腫、神経芽細胞腫、胚細胞種、奇形腫、神経節膠腫、神経節細胞腫、中枢神経節細胞腫、原始神経外胚葉性腫瘍（PNETすなわち、髄芽腫、髄上皮腫、神経芽種、網膜芽細胞腫、上衣芽腫を含む）、松果体組織にでききた腫瘍（松果体細胞腫や松果体芽腫を含む）、上衣細胞腫、脈絡叢腫瘍、原発不明の神経皮腫瘍（大脳神経膠腫症、星状芽細胞腫を含む）、神経膠芽腫、前立腺腫瘍、乳癌、食道癌、結腸直腸癌、腎明細胞癌、肺癌、中枢神経系腫瘍、卵巣癌、メラノーマ、膵臓癌、扁平上皮癌、白血病および髄芽腫、および、大腸、結腸、胃、腎臓、胚、膵臓、前立腺、皮膚またはサービビンおよび／またはCSPG4、および／または配列番号:１〜３０のペプチド由来の他のタンパク質の過剰発現を示す他の腫瘍から選択される、請求項１６に記載の使用。
【請求項１８】
（ａ）請求項１〜７のいずれか１つのペプチド、請求項８に記載の核酸、請求項９に記載の発現ベクター、請求項１１に記載の細胞、または請求項１４に記載の活性化ＣＴＬを含有する医薬組成物を溶液または凍結乾燥状態で含む容器；
（ｂ）任意で、凍結乾燥調製物用の希釈剤あるいは再構成溶液を含む第２容器；
（ｃ）任意で、配列番号:１〜３０に記載のペプチドからなる群から選択される１つ以上のペプチド、および
（ｄ）任意で、（ｉ）溶液の使用、または（ｉｉ）凍結乾燥調製物の構成および／または使用のための指示書、を含むキット。
【請求項１９】
（ｉｉｉ）緩衝剤、（ｉｖ）希釈剤、（ｖ）フィルタ、（ｖｉ）針、または（ｖｉｉ）注射器の１つもしくは複数をさらに含む、請求項１８に記載のキット。
【請求項２０】
ペプチドが配列番号:１および配列番号２０からなる群から選択される、請求項１８または１９に記載のキット。
【請求項２１】
脳から得られる試料または診断される被験者由来の別の腫瘍試料において、BCA、CLIP2、DTNA、NLGNAX、NR2E1、NRCAMおよび／またはPDPNの発現を解析することを含む、神経膠芽細胞腫を他種の癌と区別するための方法。
【請求項２２】
選択した神経膠芽細胞腫マーカーポリペプチドに特異的に結合する少なくとも1つの抗体、またはBCA、CLIP2、DTNA、NLGNAX、NR2E1、NRCAMおよび／またはPDPNのmRNAと特異的にハイブリダイズする１つ以上の核酸、および任意で、コントロール（特定量の特定神経膠芽細胞腫マーカーポリペプチドを含む）、適切な場合に一次および二次抗体、および任意で、検出可能な部位、酵素基質および／または発色試薬を含む、神経膠芽細胞腫マーカー遺伝子としてのBCA、CLIP2、DTNA、NLGNAX、NR2E1、NRCAMおよび／またはPDPNの発現レベルを測定するキット。
【手続補正書】
【提出日】平成24年12月14日(2012.12.14)
【手続補正１】
【補正対象書類名】特許請求の範囲
【補正対象項目名】請求項１４
【補正方法】変更
【補正の内容】
【請求項１４】
前記複数の放熱パッドは相互に平行に形成されていることを特徴とする請求項９に記載の発光装置。
【誤訳訂正書】
【提出日】平成25年4月22日(2013.4.22)
【誤訳訂正１】
【訂正対象書類名】明細書
【訂正対象項目名】００２０
【訂正方法】変更
【訂正の内容】
【００２０】
本発明の別の有利な実施形態によれば、触媒は、固溶体の形態で提供される。本詳細な説明の意味の範囲内で、用語「固溶体の形態で提供される」は、触媒が、空気下でか焼した後、水（１５容積％）の存在下において１０５０℃の温度において４８時間の間、固溶体型の結晶構造を示すという事実を意味するものと解される。この場合、上記条件下でか焼した後の触媒についてＸ線回折により得られる回折図により、触媒内で、単一の結晶相の存在のみが表される。この相は、一般に、フッ素型の立方結晶対称の明確に識別可能な相であり、従って、酸化セリウム中のランタン、ジルコニウムおよび他の任意選択の希土類金属の純粋な固溶体の存在を反映する。
【誤訳訂正２】
【訂正対象書類名】特許請求の範囲
【訂正対象項目名】全文
【訂正方法】変更
【訂正の内容】
【特許請求の範囲】
【請求項１】
触媒として、セリウムおよびランタンに基づき、酸化ジルコニウム、並びにセリウムおよびランタン以外の希土類金属から選択される元素の少なくとも１種の酸化物をさらに含む酸化物を使用することを特徴とする、Ｎ２Ｏを分解する方法であって、
該触媒は、空気下でか焼した後、水の存在下で１０５０℃の温度で４８時間の間、固溶体の形態で提供される
方法。
【請求項２】
コバルト、鉄、銅および亜鉛から選択される少なくとも１種の他の元素をさらに含む触媒を使用することを特徴とする、請求項１に記載の方法。
【請求項３】
他の希土類金属が、プラセオジム、ネオジム、ガドリニウムまたはイットリウムである上記型の触媒を使用することを特徴とする、請求項１または２に記載の方法。
【請求項４】
ランタン元素ならびに任意のセリウムおよびランタン以外の希土類金属の全比率が、触媒の全重量に対して多くとも１５重量％のこの、またはこれらの元素（ランタン＋当該セリウムおよびランタン以外の希土類金属）の酸化物である、触媒を使用することを特徴とする、請求項１から３の一項に記載の方法。
【請求項５】
酸化ジルコニウムの比率が、触媒の全重量に対して多くとも４０重量％である、触媒を使用することを特徴とする、請求項１、３または４に記載の方法。
【請求項６】
コバルト、鉄、銅および亜鉛から選択される少なくとも１種の他の元素を、この元素の酸化物として、触媒の全重量に対して多くとも１５重量％でさらに含む触媒を使用することを特徴とする、請求項２に記載の方法。
【請求項７】
硝酸またはアジピン酸を調製する方法において用いることを特徴とする、請求項１から６の一項に記載の方法。
【手続補正書】
【提出日】平成25年4月12日(2013.4.12)
【手続補正１】
【補正対象書類名】特許請求の範囲
【補正対象項目名】全文
【補正方法】変更
【補正の内容】
【特許請求の範囲】
【請求項１】
回折限界の解像度を特徴とする顕微鏡であって、
異なる状態の間で切替可能な複数の色素分子（ＵＦ）で、少なくとも１つの状態が蛍光性であり、その蛍光が、対物レンズ（Ｏ）で集光され、光学系を用いて場所分解性検出器上に結像され、試料の少なくとも一部分が回折限界の解像度の逆数よりも大きな分布密度を有する、色素分子（ＵＦ）と、
該試料中の該ＵＦの第１部分集合を切り替えるために切替放射を発し、かつ、該ＵＦの第１部分集合を励起するために励起放射を発する１つまたは複数の光源とを備え、
検出光路内に、強め合う干渉の最大値で取り囲まれた弱め合う干渉によって少なくとも部分的に制限された局所的放射極小値を有する色依存の光分布（ＰＳＦ）を生成する位相変化を有する位相マスクが設けられており、
前記位相マスクが、螺旋型位相マスク、半空間位相マスク、および連続的なまたは離散的な位相遅延変化を有する別のマスクのうちの少なくとも一つである、顕微鏡。
【請求項２】
前記切替えが、前記ＵＦの光活性化または光非活性化である、請求項１に記載の顕微鏡。
【請求項３】
蛍光性状態にある前記ＵＦの分布密度が、前記装置の前記回折限界の解像度の逆数よりも小さいことを保証するように、前記切替放射を制御する制御ユニットが設けられている、請求項１または２に記載の顕微鏡。
【請求項４】
位置から蛍光のスペクトル発光重心の決定、および１つまたは複数の高次回折次数の光分布の形状からスペクトル分布の決定のうちの少なくとも一つが行われる、請求項１〜３のいずれか１項に記載の顕微鏡。
【誤訳訂正書】
【提出日】平成25年3月6日(2013.3.6)
【誤訳訂正１】
【訂正対象書類名】明細書
【訂正対象項目名】００２６
【訂正方法】変更
【訂正の内容】
【００２６】
該医薬組成物、皮膚化粧品組成物または化粧品組成物は、一態様では、局所塗布用製剤の形態である。それ故、本発明の主題は、個体の皮膚表面にこのような組成物を塗布することを含む化粧的処置のための方法である。
【誤訳訂正書】
【提出日】平成25年10月29日(2013.10.29)
【誤訳訂正１】
【訂正対象書類名】明細書
【訂正対象項目名】０００３
【訂正方法】変更
【訂正の内容】
【０００３】
従って、第一の局面においては、ターゲット材料の蛍光標識および/または該材料の蛍光寿命検出のための、試薬の使用を提供するものであり、ここで該試薬は、以下の式(I)で表される蛍光染料およびその塩を含む：
【誤訳訂正書】
【提出日】平成25年7月16日(2013.7.16)
【誤訳訂正１】
【訂正対象書類名】特許請求の範囲
【訂正対象項目名】請求項７
【訂正方法】変更
【訂正の内容】
【請求項７】
上記角膜トポグラフィック特性測定装置は、コンピュータ支援のビデオ角膜画像に基づくトポグラファであることを特徴とする請求項１から請求項６のいずれか１項に記載の変形特性を測定する装置。
【誤訳訂正２】
【訂正対象書類名】明細書
【訂正対象項目名】０００９
【訂正方法】変更
【訂正の内容】
【０００９】
対象物が生体の眼の角膜である形態に関して、トポグラファは、好適には、コンピュータ支援のビデオ角膜画像に基づくトポグラファ（本明細書では角膜トポグラファともいう。）である。特別な形態において、角膜トポグラファは、改良されたＰＡＲ  ＣＴＳ画像装置である。ある形態によると、非接触で対象物表面を変形する装置は、空気の圧力パルスに基づく装置である。特別な形態において、非接触で対象物表面を変形する装置は、非接触眼圧計である。
【誤訳訂正書】
【提出日】平成25年5月23日(2013.5.23)
【誤訳訂正１】
【訂正対象書類名】明細書
【訂正対象項目名】発明の名称
【訂正方法】変更
【訂正の内容】
【発明の名称】特に調節装置のため及び特に車両シートのためのロック装置、および車両シート
【誤訳訂正２】
【訂正対象書類名】明細書
【訂正対象項目名】０００１
【訂正方法】変更
【訂正の内容】
【０００１】
この発明は、特に調節装置のため及び特に車両シートのためのロック装置に関する。調節装置により、調節装置のロックとアンロック、特に調節装置の第一部分と第二部分を互いに対してロック及びアンロックすることが可能である。
【誤訳訂正３】
【訂正対象書類名】明細書
【訂正対象項目名】０００６
【訂正方法】変更
【訂正の内容】
【０００６】
上記目的は、特に調節装置のため及び特に車両シートのためのロック装置であって、第一の回転軸の回りに回転できるロックカムと、第二の回転軸の回りに回転できるロック爪を有し、ロック装置がロック位置と開放位置にセットが可能で、このロックカムは第一のロック領域と第一の安全領域を有し、しかもこのロックカムは該第一ロック領域と第一安全領域を有する単体部品として提供され、このロック爪が、第二のロック領域と第二の安全領域を有し、該第一と第二のロック領域は、互いに接触できるように、このロック装置のロック位置に設けられ、この第一安全領域と第二安全領域は、互いに対向するように反対側か、または、互いに接触するようにロック装置のロック位置に設けられている。
【誤訳訂正４】
【訂正対象書類名】明細書
【訂正対象項目名】０００７
【訂正方法】変更
【訂正の内容】
【０００７】
この発明によれば、簡単な手段を使う結果、満足かつ信頼できるロック装置のロックが確保でき、しかも容易なアンロック性が、比較的簡単な構造と比較的低い装着費用とに合わせることができる。更に、この発明によれば、ロック領域と安全領域の結果、ロック爪のオーバーラップロスが全く又は少ししか起きないので、特に、ロック装置の後方向強度と言われるものが改善される。
【誤訳訂正５】
【訂正対象書類名】特許請求の範囲
【訂正対象項目名】全文
【訂正方法】変更
【訂正の内容】
【特許請求の範囲】
【請求項１】
特に調節装置のため及び特に車両シートのためのロック装置（１）であって、
前記ロック装置（１）は、第一回転軸（１３）回りで回転できるロックカム（１０）と、第二回転軸（２３）回りで回転できるロック爪（２０）とを有し、
前記ロック装置（１）は、ロック位置と解除位置にセットすることができ、
前記ロックカム（１０）は、第一のロック領域（１１）と第一の安全領域（１２）とを有し、
前記ロックカム（１０）は、前記第一のロック領域（１１）と前記第一の安全領域（１２）を有する単体品として提供され、
前記ロック爪（２０）が、第二のロック領域（２１）と第二の安全領域（２２）を有し、
前記第一及び第二のロック領域（１１、２１）が、前記ロック装置（１）のロック位置において、互いに接するように設けられると共に、前記第一及び第二の安全領域（１２、２２）が、前記ロック装置（１）のロック位置において、互いに向き合うように又は互いに接するように設けられ、
前記ロック装置（１）のロック位置において、前記第一及び第二の安全領域（１２、２２）が、通常使用時には互いに向き合うように且つ事故時には互いに接するように設けられ、
前記第一及び第二のロック領域（１１、２１）が、４°と約６°の間、好ましくは４．５°と約６°の間、特に好ましくは５°と約６°の間、更に好ましくは約５．２°と約５．７°の間にあるロック角を有し、
前記ロックカム（１０）、前記ロック爪（２０）、前記第一回転軸（１３）及び第二回転軸（２３）が、背もたれに取り付けられた調節部分に設けられ、
前記ロック位置と前記解除位置との間で、前記ロックカム（１０）が前記第一回転軸（１３）の周りで回転させられ、前記ロック爪（２０）が前記第二回転軸（２３）の周りで反対の回転方向に回転させられ、
前記第一のロック領域（１１）の前記第一回転軸（１３）からの半径方向間隔は、前記第一の安全領域（１２）の前記第一回転軸（１３）からの半径方向間隔よりも大きい、ロック装置。
【請求項２】
前記第一及び第二の安全領域（１２、２２）が２°と約５．７°の間、又は２°と４．５°の間にあるロック角を有している、請求項１に記載のロック装置（１）。
【請求項３】
前記第一ロック領域（１１）と前記第一安全領域（１２）が前記第一回転軸（１３）に関して異なるセクターに設けられている、請求項１又は２に記載のロック装置（１）。
【請求項４】
前記ロックカム（１０）がスプリングにより予荷重が掛けられてロック位置に付勢されている、請求項１乃至３に記載のロック装置（１）。
【請求項５】
前記第一回転軸（１３）の回りの前記ロックカム（１０）の回転が、最大２０°、好ましくは最大１５°更に好ましくは最大１０°の角度を有するように、前記第一と第二のロック領域（１１、２１）と前記第一と第二の安全領域（１２、２２）に許容度を持たせている、請求項１乃至４に記載のロック装置（１）。
【請求項６】
座席部と背もたれ部と調節装置とを有する車両シートであって、前記請求項１乃至５に記載のロック装置が前記調節装置の部品として設けられている車両シート。
【手続補正書】
【提出日】平成25年3月5日(2013.3.5)
【手続補正１】
【補正対象書類名】特許請求の範囲
【補正対象項目名】全文
【補正方法】変更
【補正の内容】
【特許請求の範囲】
【請求項１】
以下の構造を有する二本鎖ＲＮＡ化合物
５’  ｉＢ−ＧＣＣＡＧＡＡＵＧＵＧＧＡＡＣＵＣＣＵ  ３’
（センス鎖、配列番号９０１５）
３’        ＣＧＧＵＣＵＵＡＣＡＣＣＵＵＧＡＧＧＡ  ５’
（アンチセンス鎖、配列番号９５１６）
［ここで、
各連続するＡ、Ｃ、Ｇ、または、Ｕは、次のＡ、Ｃ、Ｇ、またはＵに、ホスホジエステル結合によって、結合されており、
センス鎖は、５’末端から数えて、
１、２、３、４、５、６、７、８、９、１０、１１、１２、１３、１４、１５、１６、１７および１９の位置に未修飾リボヌクレオチドを、
１８の位置にＬ−デオキシシチジンを、および、
逆方向無塩基５’−ｃａｐ（ｉＢ）
を含み、
アンチセンス鎖は、
５’末端から数えて、２、４、６、８、１１、１３、１５、１７および１９の位置に２’ＯＭｅ糖修飾リボヌクレオチドを、および、
１、３、５、７、９、１０、１２、１４、１６、および１８の位置に未修飾リボヌクレオチド
を含む］
または、その塩。
【請求項２】
請求項１に記載の化合物またはその塩を含むことを特徴とする、医薬組成物。
【請求項３】
ＣＡＳＰ２遺伝子の発現を下方制御する医薬組成物であって、請求項１に記載の化合物またはその塩を含むことを特徴とする、医薬組成物。
【請求項４】
対象の網膜神経節細胞の損失または当該細胞への障害を阻害または予防するための眼科用組成物であって、請求項１に記載の化合物またはその塩を含むことを特徴とする、組成物。
【請求項５】
請求項４に記載の組成物であって、前記対象が人間であることを特徴とする、組成物。
【請求項６】
請求項４または５に記載の組成物であって、
前記「網膜神経節細胞の損失または当該細胞への障害の阻害または予防」が、
当該網膜神経節細胞の損傷または死を遅延させるか、
当該網膜神経節細胞の損傷または死を予防するか、
当該網膜神経節細胞を損傷または死から救うか、および／または、
当該網膜神経節細胞の生存を促進させるか、
であることを特徴とする、組成物。
【請求項７】
請求項４または５に記載の組成物であって、
前記「網膜神経節細胞の損失または当該細胞への障害」が、眼圧（ＩＯＰ）の上昇によ
り仲介されることを特徴とする、
組成物。
【請求項８】
請求項２に記載の組成物であって、
眼の疾患、眼の障害、眼の損傷、若しくは、視野損失に苦しんでいるか、または、眼の疾患、眼の障害、眼の損傷、若しくは、視野損失を発症するリスクがある、対象の治療を治療するため、
または、眼神経保護を提供するため
のものである、ことを特徴とする、
組成物。
【請求項９】
請求項８に記載の組成物であって、
前記「眼の疾患、眼の障害、眼の損傷」が、視覚系の組織の病的異常／変化と関連することを特徴とする、
組成物。
【請求項１０】
請求項８に記載の組成物であって、
前記「眼の疾患、眼の障害、眼の損傷」が、神経変性を含むことを特徴とする、
組成物。
【請求項１１】
請求項８に記載の組成物であって、
前記「眼の疾患、眼の障害、眼の損傷」が、網膜神経節細胞損失または網膜神経節細胞傷害と関連することを特徴とする、
組成物。
【請求項１２】
請求項８に記載の組成物であって、
前記「眼の疾患、眼の障害、または、眼の損傷」が、眼神経症、眼圧（ＩＯＰ）の上昇、緑内障、原発開放隅角緑内障（ＰＯＡＧ）、開放隅角緑内障、閉塞隅角緑内障、正常眼圧緑内障、先天性緑内障、続発性緑内障、ドライアイ、シェーグレン症候群、糖尿病性網膜症（ＤＲ）、糖尿病性黄斑浮腫（ＤＭＥ）、加齢黄斑変性症（ＡＭＤ）、視神経炎、網膜中心静脈閉塞症、網膜静脈分岐閉塞症、虚血性視神経症（ＩＯＮ）、視神経損傷、未熟児網膜症（ＲＯＰ）、網膜色素変性症（ＲＰ）、網膜神経節変性症、黄斑変性症、遺伝性視神経症、レーベル遺伝性視神経症、代謝性視神経症、毒物による神経症、および、有害な薬物反応もしくはビタミン欠乏により引き起こされる神経症からなる群から選択される、
組成物。
【請求項１３】
請求項１２に記載の組成物であって、
前記虚血性視神経症（ＩＯＮ）が、前部虚血性視神経症および／または後部虚血性視神経症を含む
ことを特徴とする、
組成物。
【請求項１４】
請求項２に記載の組成物であって、
前記化合物が、約５μｇ／μｌ〜約６０μｇ／μｌの最終濃度で存在することを特徴とする、
組成物。
【請求項１５】
請求項２〜１４のいずれか１項に記載の組成物であって、
前記組成物が、クリーム、フォーム、ペースト、軟膏、エマルジョン、液体溶液、点眼
薬、ゲル、スプレー、懸濁液、マイクロエマルジョン、マイクロスフェア、マイクロカプ
セル、ナノスフェア、ナノ粒子、脂質小胞、リポソーム、ポリマー小胞、パッチ、または
コンタクトレンズとして処方されることを特徴とする、
組成物。
【請求項１６】
請求項１５に記載の組成物であって、
前記組成物が、液体溶液（liquid solution）として処方されることを特徴とする、
組成物。
【請求項１７】
請求項１５に記載の組成物であって、
前記組成物が、点眼薬として処方されることを特徴とする、
組成物。
【請求項１８】
請求項１６に記載の組成物であって、
前記液体溶液が、硝子体内注射用に調製されることを特徴とする、
組成物。
【手続補正書】
【提出日】平成24年3月26日(2012.3.26)
【手続補正１】
【補正対象書類名】特許請求の範囲
【補正対象項目名】全文
【補正方法】変更
【補正の内容】
【特許請求の範囲】
【請求項１】
求核剤を４，４′−ジフルオロベンゾフェノンと反応させることによる半結晶質ポリ（アリールエーテルケトン）を製造する方法であって、前記４，４′−ジフルオロベンゾフェノンが、以下の不純物限界：
［２，４’−ジフルオロベンゾフェノン］＋［４−モノフルオロベンゾフェノン］≦１２５０ｐｐｍ（４，４’−ジフルオロベンゾフェノンと存在するすべての不純物との総重量に対する重量）を有し、かつ４，４’−ジフルオロベンゾフェノンにおける２，４’−ジフルオロベンゾフェノンと４−モノフルオロベンゾフェノンの量が、液体クロマトグラフィー分析によって決定される、方法。
【請求項２】
前記４，４′−ジフルオロベンゾフェノンがさらに、以下の不純物限界：
［２，４’−ジフルオロベンゾフェノン］≦７５０ｐｐｍ
を満たす、請求項１に記載の方法。
【請求項３】
前記４，４′−ジフルオロベンゾフェノンがさらに、以下の不純物限界：
［２，４’−ジフルオロベンゾフェノン］≦７５０ｐｐｍ、
［４−モノフルオロベンゾフェノン］≦５００ｐｐｍ
を満たす、請求項１に記載の方法。
【請求項４】
前記４，４′−ジフルオロベンゾフェノンがさらに、以下の不純物限界：
［２，４’−ジフルオロベンゾフェノン］≦３００ｐｐｍ、
［４−モノフルオロベンゾフェノン］≦９５０ｐｐｍ
を満たす、請求項１に記載の方法。
【請求項５】
前記４，４′−ジフルオロベンゾフェノンがさらに、以下の不純物限界：
［塩素総含有率］≦０．０７５重量％
を満たし、
前記塩素総含有率が、燃焼に続いて、ミクロ電量滴定分析（ＴＯＸ）によって決定される、請求項１〜４のいずれか一項に記載の方法。
【請求項６】
前記４，４′−ジフルオロベンゾフェノンがさらに、以下の不純物限界：
［クロロフルオロベンゾフェノン］≦５０００ｐｐｍ
を満たす、請求項１〜５のいずれか一項に記載の方法。
【請求項７】
前記４，４′−ジフルオロベンゾフェノンが、ＧＣ純度≦９９．９面積％を有する、請求項１〜６のいずれか一項に記載の方法。
【請求項８】
前記４，４′−ジフルオロベンゾフェノンが、ＧＣ純度≦９９．９面積％を有する、請求項７に記載の方法。
【請求項９】
前記求核剤が、ｐ−ヒドロキノン、４，４’−ジヒドロキシベンゾフェノン、４，４’−ビフェノール、１，４−ビス−（ｐ−ヒドロキシベンゾイル）ベンゼンおよび１，３−ビス−（ｐ−ヒドロキシベンゾイル）ベンゼンからなる群から選択される、請求項１〜８のいずれか一項に記載の方法。
【請求項１０】
前記ポリ（アリールエーテルケトン）が、ポリ（エーテルエーテルケトン）（ＰＥＥＫ）である、請求項１〜９のいずれか一項に記載の方法。
【請求項１１】
前記ポリ（アリールエーテルケトン）が、融解熱（Ｊ／ｇ）≧６８．０−２６．６＊ＲＶ（ｄｌ／ｇ）を有し、ＲＶが、濃Ｈ２ＳＯ４において２５℃にて測定されたポリマー還元粘度である、請求項１０に記載の方法。
【請求項１２】
前記ポリ（アリールエーテルケトン）が、ポリ（エーテルケトン）（ＰＥＫ）である、請求項１〜９のいずれか一項に記載のポリ（アリールエーテルケトン）。
【請求項１３】
前記反応が、ジフェニルスルホンの存在下にて行われる、請求項１〜１２のいずれか一項に記載の方法。
【請求項１４】
粒状炭酸ナトリウムの存在下にて芳香族求核置換によって、前記求核剤を４，４′−ジフルオロベンゾフェノンと反応させる方法であって、前記粒状炭酸ナトリウムが、以下の粒径分布：
Ｄ９０≧４５μｍおよびＤ９０≦２５０μｍおよびＤ９９．５≦７１０μｍ
を有する、請求項１〜１３のいずれか一項に記載の方法。
【請求項１５】
請求項１〜１４のいずれか一項に記載の方法によって得られる、または請求項１〜１４のいずれか一項に記載の方法に従って製造される、ポリ（アリールエーテルケトン）。
【手続補正書】
【提出日】平成24年3月26日(2012.3.26)
【手続補正１】
【補正対象書類名】特許請求の範囲
【補正対象項目名】全文
【補正方法】変更
【補正の内容】
【特許請求の範囲】
【請求項１】
ジフェニルスルホンを含む溶媒中において、芳香族求核的置換反応によってポリ（アリールエーテルケトン）を調製するための方法であって、前記ジフェニルスルホンが、以下の不純物限度の少なくとも一つに適合している、方法。
2012506472.tif 000001
【請求項２】
前記ジフェニルスルホンが、その中に、０．０３面積％を超える１種または複数のオリゴ（アリールエーテルケトン）不純物を含む（面積％は、前記ジフェニルスルホンのすべてのＬＣピークを合計した面積に対する、対象となる前記不純物のＬＣピーク面積の比率を表している）、請求項１に記載の方法。
【請求項３】
前記ジフェニルスルホンが、少なくとも１種のフッ素化モノマーを含む、請求項１または２に記載の方法。
【請求項４】
前記フッ素化モノマーが、
2012506472.tif 000002
2012506472.tif 000003
からなる群から選択される、請求項３に記載の方法。
【請求項５】
前記ジフェニルスルホンが、モノメチルジフェニルスルホン、モノクロロジフェニルスルホン、および残存酸度の前記不純物限度に適合している、請求項１〜４のいずれか１項に記載の方法。
【請求項６】
前記ジフェニルスルホンが、ナトリウム、鉄、ジフェニルスルフィド、およびアセトン中２０重量％溶液のＡＰＨＡ（２５℃）の前記不純物限度に適合している、請求項１〜５のいずれか１項に記載の方法。
【請求項７】
前記ジフェニルスルホンが、カリウムについての前記不純物限度にさらに適合する、請求項１〜６のいずれか１項に記載の方法。
【請求項８】
前記ジフェニルスルホンが、次の不純物限度にさらに適合する、請求項１〜７のいずれか１項に記載の方法。
2012506472.tif 000004
【請求項９】
前記ポリ（アリールエーテルケトン）がポリ（エーテルエーテルケトン）である、請求項１〜８のいずれか１項に記載の方法。
【請求項１０】
３７０℃で圧縮成形して厚み２．５ｍｍの圧縮成形プラックとしたときに、そのようにして調製された前記ポリ（アリールエーテルケトン）が、Ｄ６５光源下、１０度の角度で測定して次のＬ＊、ａ＊、ｂ＊値を有している、
Ｌ＊＞９０−１７＊（ηｉｎｔ）、
ａ＊が−１から＋３までの間であり、
ｂ＊が＋５から＋２０までの間である、
請求項１〜９のいずれか１項に記載の方法。
【請求項１１】
粒子状炭酸ナトリウムの存在下の芳香族求核的置換反応による反応であって、前記粒子状炭酸ナトリウムが、以下の粒径分布：
Ｄ９０≧４５μｍ、およびＤ９０≦２５０μｍ、およびＤ９９．５≦７１０μｍ
を有している、請求項１〜１０のいずれか１項に記載の方法。
【請求項１２】
求核剤を４，４’−ジフルオロベンゾフェノンと反応させる芳香族求核的置換反応による、半晶質のポリ（アリールエーテルケトン）を調製するための方法であって、前記４，４’−ジフルオロベンゾフェノンが、次の不純物限度：
［２，４’−ジフルオロベンゾフェノン］＋［４−モノフルオロベンゾフェノン］≦１２５０ｐｐｍ
（４，４’−ジフルオロベンゾフェノンの中の２，４’−ジフルオロベンゾフェノンおよび４−モノフルオロベンゾフェノンの量は、液体クロマトグラフィー分析によって求めたものである）
に適合する、請求項１〜１１のいずれか１項に記載の方法。
【請求項１３】
請求項１〜１２のいずれか１項に記載の方法によって得ることが可能なポリ（アリールエーテルケトン）。
【請求項１４】
ポリ（アリールエーテルケトン）の調製によって得られるジフェニルスルホン溶液から固体のジフェニルスルホンを単離するための方法であって、
ａ）前記溶液への非溶媒の添加；または
ｂ）非溶媒への前記溶液の添加；または
ｃ）低温蒸発プロセスによる前記溶液の中に存在している低沸点有機溶媒の画分の除去であって、その前または後に、前記溶液へ非溶媒を添加；または
ｄ）前記溶液の冷却；または
ｅ）それらａ）、ｂ）、ｃ）、ｄ）の二つ以上の組合せ；
のいずれかによって、前記溶液中へのジフェニルスルホンの溶解度を１．５重量％以下に下げる、方法。
【請求項１５】
前記単離された固体のジフェニルスルホンが、請求項１〜１２のいずれかに記載の方法において使用されるジフェニルスルホンである、請求項１４に記載の方法。
【手続補正書】
【提出日】平成25年4月9日(2013.4.9)
【手続補正１】
【補正対象書類名】特許請求の範囲
【補正対象項目名】全文
【補正方法】変更
【補正の内容】
【特許請求の範囲】
【請求項１】
基板上に非晶質炭素層を形成する方法であって、
基板処理チャンバ内に基板を位置決めするステップと、
堆積サイクルを実行するステップであって、
炭素と水素の原子比が１：２より大きい炭化水素源を前記処理チャンバ内へ導入するステップと、
水素、ヘリウム、アルゴン、窒素、およびこれらの組合せからなる群から選択されるプラズマ開始ガスを前記処理チャンバ内へ導入するステップであり、前記炭化水素源の体積流量とプラズマ開始ガスの体積流量の比が１：２以上であるステップと、
１Ｗ／ｃｍ２以下のＲＦ電力密度、２トル以上の圧力、および３００℃〜４８０℃の温度で前記処理チャンバ内にプラズマを生成するステップと、
前記基板上に共形の非晶質炭素層を形成するステップと
前記共形の非晶質炭素層を形成した後、前記処理チャンバにパージガスを流すことによってパージ処理ステップを実行するステップであり、前記パージ処理ステップが停止ステップ時間を含み、前記共形の非晶質炭素層を形成するステップが堆積ステップ時間を含み、前記停止ステップ時間と前記堆積ステップ時間の比が１００：１〜１：１００である、前記パージ処理ステップを実行するステップと
を含む、前記堆積サイクルを実行するステップと、
前記堆積サイクルを２〜５０回繰り返すステップと
を含む方法。
【請求項２】
前記堆積サイクルが、前記水素の前駆体、前記プラズマ開始ガス、またはこれらの両方とともに、前記処理チャンバ内へ希釈ガスを導入するステップをさらに含む、請求項１に記載の方法。
【請求項３】
前記炭化水素源の炭素と水素の原子比が２：３以上であり、前記炭化水素源が、アセチレン、ビニルアセチレン、ベンゼン、スチレン、トルエン、キシレン、ピリジン、アセトフェノン、フェノール、フラン、Ｃ３Ｈ２、Ｃ５Ｈ４、モノフルオロベンゼン、ジフルオロベンゼン類、テトラフルオロベンゼン類、およびヘキサフルオロベンゼンの群から選択される１つまたは複数の化合物を含む、請求項１に記載の方法。
【請求項４】
前記炭化水素ガスの体積流量とプラズマ開始ガスの体積流量の比が１：１〜１：２である、請求項１に記載の方法。
【請求項５】
前記ＲＦ電力密度が０．０１〜１Ｗ／ｃｍ２で印加される、請求項１に記載の方法。
【請求項６】
前記圧力が２トル〜２０トルである、請求項１に記載の方法。
【請求項７】
前記ＲＦ電力が、２重周波数システムによって提供される、請求項１に記載の方法。
【請求項８】
前記非晶質炭素層の共形性が、３０％〜１００％である、請求項１に記載の方法。
【請求項９】
前記パージガスが不活性ガスまたは炭化水素源ガスを含む、請求項１に記載の方法。
【請求項１０】
基板上に非晶質炭素材料を形成する方法であって、
基板処理チャンバ内に基板を位置決めするステップと、
堆積サイクルを実行するステップであって、
炭素と水素の原子比が１：２より大きい炭化水素源を前記処理チャンバ内へ導入するステップと、
水素、ヘリウム、アルゴン、窒素、およびこれらの組合せからなる群から選択されるプラズマ開始ガスを前記処理チャンバ内へ導入するステップであり、前記炭化水素源の体積流量とプラズマ開始ガスの体積流量の比が１：２以上であるステップと、
１Ｗ／ｃｍ２以下のＲＦ電力密度、２トル以上の圧力、および３００℃〜４８０℃の温度で前記処理チャンバ内にプラズマを生成するステップと、
前記基板上に共形の非晶質炭素層を形成するステップと、
前記共形の非晶質炭素層を形成した後、前記処理チャンバにパージガスを流すことによってパージ処理ステップを実行するステップであり、前記パージガスがプラズマに励起される、前記パージ処理ステップを実行するステップと
を含む、前記堆積サイクルを実行するステップと、
前記堆積サイクルを２〜５０回繰り返すステップと
を含む方法。
【請求項１１】
各堆積サイクルが、前記共形の非晶質炭素層の厚さの２％〜５０％を堆積させる、請求項１に記載の方法。
【請求項１２】
基板上に非晶質炭素層を形成する方法であって、
基板処理チャンバ内に基板を位置決めするステップと、
炭素と水素の原子比が１：２より大きい炭化水素源を前記処理チャンバ内へ導入するステップと、
ヘリウムからなるプラズマ開始ガスを前記処理チャンバ内へ導入するステップであり、前記炭化水素源の体積流量とプラズマ開始ガスの体積流量の比が１：２以上であり、前記炭化水素源および前記プラズマ開始ガスが、前記基板表面から４００ミル〜６００ミルに位置決めされたガス分配器によって前記処理チャンバ内へ導入されるステップと、
１Ｗ／ｃｍ２以下のＲＦ電力密度、９トルの圧力、および７５℃の温度で前記処理チャンバ内にプラズマを生成するステップと、
前記基板上に共形の非晶質炭素層を形成するステップと
を含む方法。
【請求項１３】
前記共形の非晶質炭素層の共形性が約７２％である、請求項１２に記載の方法。
【請求項１４】
前記共形の非晶質炭素層が、基板表面の１６００ｎｍ２当たり約９個のフィーチャ画定部に亘って形成されている、請求項１３に記載の方法。
【請求項１５】
前記ガス分配器が、前記基板表面から５００ミルに位置決めされている、請求項１２に記載の方法。
【請求項１６】
前記共形の非晶質炭素層の共形性が９０％以上である、請求項１５に記載の方法。
【請求項１７】
前記共形の非晶質炭素層が、基板表面の１６００ｎｍ２当たり４〜２０個のフィーチャ画定部に亘って形成されている、請求項１６に記載の方法。